(57)【要約】【課題】ＩＣタグを所持する動体の所在を管理することのできる所在管理システムを提供する。【解決手段】個別にリーダ情報が設定されており特定の監視エリアに限定して質問信号を送信する複数のリーダ装置１と、動体に所持されて固有のタグ情報を有するＩＣタグ２と、各リーダ装置１と有線で接続される外部機器Ｐとを備えており、各リーダ装置１は複数の監視エリアに配置されており、ＩＣタグ２は、監視エリアにおいて質問信号を受信すると、タグ情報を応答信号としてリーダ装置１に送信し、リーダ装置１は、受信したタグ情報と共に自器のリーダ情報を外部機器Ｐへと伝送するものであり、受信したリーダ情報及びタグ情報からＩＣタグ２を所持する動体の所在情報を認識して管理する。【選択図】図２
2008204404.tif 000002
【特許請求の範囲】
【請求項１】
個別にリーダ情報が設定されており特定の監視エリアに限定して質問信号を送信する複数のリーダ装置と、動体に所持されて固有のタグ情報を有するＩＣタグと、各リーダ装置と有線で接続される外部機器とを備えており、
各リーダ装置は複数の監視エリアに配置されており、ＩＣタグは、監視エリアにおいて質問信号を受信すると、タグ情報を応答信号としてリーダ装置に送信し、リーダ装置は、受信したタグ情報と共に自器のリーダ情報を外部機器へと伝送するものであり、受信したリーダ情報及びタグ情報からＩＣタグを所持する動体の所在情報を認識して管理することを特徴とする所在管理システム。
【請求項２】
個別に送信器情報が設定されており特定の監視エリアに限定して送信器情報を送信する複数の送信器と、動体に所持されて固有のタグ情報を有するＩＣタグと、複数の監視エリアに存在するＩＣタグから送信器情報及びタグ情報を無線受信する受信器と、受信器と通信する外部機器とを備えており、
各送信器は複数の監視エリアに配置されており、ＩＣタグは、監視エリアにおいて送信器情報を受信すると、受信した送信器情報と共にタグ情報を受信器へと送信しており、受信器は、受信した送信器情報及びタグ情報を外部機器へと送信し、外部機器は、受信器から受信した送信器情報及びタグ情報を管理するものであり、受信した送信器情報及びタグ情報からＩＣタグを所持する動体の所在情報を認識して管理することを特徴とする所在管理システム。
【発明の詳細な説明】
【技術分野】
【０００１】
本願発明は、ＩＣタグを所持する動体の所在を管理する所在管理システムに関するものである。
【背景技術】
【０００２】
従来、所在管理システムとしては、特開２００６−１１７４１３号公報に示されるようなシステムが知られている。この所在管理システムは、作業員が所持する所在データ取得装置と、物品に取り付けられたＩＣタグとからなる。所在データ取得装置は、ＧＰＳ受信器を有しており、ＧＰＳ電波から得られた位置情報と、ＩＣタグから得られた識別情報とを対応させて記憶するようになっている。したがって、作業員は物品ごとに位置情報及び識別情報を取得し記憶しておくことで、各物品の所在を管理することができる。
【特許文献１】特開２００６−１１７４１３号公報
【発明の開示】
【発明が解決しようとする課題】
【０００３】
しかしながら、上記所在管理システムにおいては、物品が移動する度に作業員が物品のもとに行き位置情報及び識別情報を取得しなおす必要があり、更に、所在管理を行う対象が頻繁に移動を繰り返す人である場合には対応できないシステムであった。
【０００４】
本願発明は、上記背景技術に鑑みて発明されたものであり、その課題は、ＩＣタグを所持する動体の所在を管理することのできる所在管理システムを提供することである。
【課題を解決するための手段】
【０００５】
上記課題を解決するために、本願請求項１記載の発明では、個別にリーダ情報が設定されており特定の監視エリアに限定して質問信号を送信する複数のリーダ装置と、動体に所持されて固有のタグ情報を有するＩＣタグと、各リーダ装置と有線で接続される外部機器とを備えており、各リーダ装置は複数の監視エリアに配置されており、ＩＣタグは、監視エリアにおいて質問信号を受信すると、タグ情報を応答信号としてリーダ装置に送信し、リーダ装置は、受信したタグ情報と共に自器のリーダ情報を外部機器へと伝送するものであり、受信したリーダ情報及びタグ情報からＩＣタグを所持する動体の所在情報を認識して管理することを特徴としている。
【０００６】
本願請求項２記載の発明では、個別に送信器情報が設定されており特定の監視エリアに限定して送信器情報を送信する複数の送信器と、動体に所持されて固有のタグ情報を有するＩＣタグと、複数の監視エリアに存在するＩＣタグから送信器情報及びタグ情報を無線受信する受信器と、受信器と通信する外部機器とを備えており、各送信器は複数の監視エリアに配置されており、ＩＣタグは、監視エリアにおいて送信器情報を受信すると、受信した送信器情報と共にタグ情報を受信器へと送信しており、受信器は、受信した送信器情報及びタグ情報を外部機器へと送信し、外部機器は、受信器から受信した送信器情報及びタグ情報を管理するものであり、受信した送信器情報及びタグ情報からＩＣタグを所持する動体の所在情報を認識して管理することを特徴としている。
【発明の効果】
【０００７】
本願請求項１記載の所在管理システムにおいては、特定の監視エリアに限定して質問信号を送信する複数のリーダ装置を複数の監視エリアに配置することで、リーダ情報及びタグ情報とからＩＣタグを所持する動体の所在を特定することができ、更に、リーダ情報及びタグ情報を外部機器へと送信することで、複数の動体の所在情報を一括して管理することができる。
【０００８】
本願請求項２記載の所在管理システムにおいては、特定の監視エリアに限定して送信器信号を送信する複数の送信器を複数の監視エリアに配置することで、送信器情報及びタグ情報とからＩＣタグを所持する動体の所在を特定することができ、また、送信器情報及びタグ情報を外部機器へと送信することで、複数の動体の所在情報を一括して管理することができる。
【０００９】
更に、このシステムにおいては、送信器と受信器とを別体として備えており、受信器は複数の監視エリアに存在するＩＣタグから信号を受信するため、全ての送信器と外部機器とを有線で接続したり、全ての送信器に対して外部機器へ無線送信する部位を設けたりする必要がなく、効率良く外部機器に送信器情報及びタグ情報を送信することができる。
【発明を実施するための最良の形態】
【００１０】
図１、２は、第一の実施形態である所在管理システムを示している。この所在管理システムは、リーダ装置１と、ＩＣタグ２と、認証装置４と、電気錠（不図示）と、人検知装置５と、外部機器Ｐとを備えている。
【００１１】
リーダ装置１は、ループアンテナからなりＬＦ周波数帯の電波を発生させる送信アンテナ１１と、送信アンテナ１１を動作させる送信回路と、送信回路を制御するリーダ制御部と、受信アンテナ１２とを備えている。リーダ制御部は、各リーダ装置１に固有に設定されているリーダ情報を記憶しており、送信回路はリーダ制御部からの制御を受けて質問信号を送信アンテナ１１により無線送信している。なお、リーダ装置１はＬＦ周波数帯の電波を送信しているため、質問信号の届く範囲はリーダ装置１から直径数メートル以内に限定されるものである。
【００１２】
ＩＣタグ２は、ループアンテナからなる受信アンテナ２１と、受信回路と、タグ制御部と、送信回路と、送信アンテナ２２と、電池とを具備するアクティブ型のＩＣタグ２である。リーダ装置１から送信された質問信号は受信アンテナ２１で受信され、受信回路によりタグ制御部へと伝送される。タグ制御部は、ＩＣタグ２に固有に設定されたタグ情報を記憶しており、質問信号を受けるとタグ情報を送信回路へと伝送する。送信回路は、伝送されたタグ情報を応答信号として送信アンテナ２２によりリーダ装置１へと送信する。
【００１３】
そして、タグ情報を受信したリーダ装置１は、自器のリーダ情報と受信したタグ情報とを外部機器Ｐへと伝送すると同時に、警戒解除信号を人検知装置５へと伝送する。なお、リーダ装置１とＩＣタグ２との通信においては、上記のように電波を利用するものではなく、赤外線を利用して通信するものであってもよい。
【００１４】
認証装置４及び電気錠は、入退室管理に用いられるものであり、ＩＣタグ２は、認証装置４から認証信号を受信すると、タグ情報を認証装置４へと送信するようになっている。そして、認証装置４においてタグ情報が認証されると電気錠が解錠される。また、人検知装置５は、従来から知られた熱線や画像処理等を利用して人を検知するものであり、必要に応じて警報を発報する。
【００１５】
外部機器Ｐは、パーソナルコンピュータやサーバ等からなり、全てのリーダ装置１、認証装置４及び人検知装置５とLAN等のネットワークとして有線で接続されている。また、外部機器Ｐは全てのリーダ装置１及び認証装置４からリーダ情報及びタグ情報の伝送を受けており、これらの情報から、ＩＣタグ２を所持した複数の動体の所在情報を把握し、一括して管理している。
【００１６】
図２に示すように、本実施形態の所在管理システムは、廊下を挟んで複数の店舗テナントＡ〜Ｈが配置されたフロアにおいて、各店舗テナントＡ〜Ｈに１台ずつリーダ装置１Ａ〜１Ｈ及び人検知装置５Ａ〜５Ｈが一体となって配置されている。各リーダ装置１Ａ〜１Ｈ及び検知装置５Ａ〜５Ｈは、配置された店舗テナントＡ〜Ｈの領域のみを監視エリアとして監視している。つまり、リーダ装置１から送信される質問信号は、各店舗テナントＡ〜Ｈの領域（監視エリア）においてのみ受信できるようになっている。
【００１７】
また、フロアには、店員等関係者が出入りする関係者扉６が設置されており、関係者扉６には電気錠（不図示）が設けられ、関係者扉６付近にはＩＣタグ２と通信する認証装置４が設けられている。
【００１８】
ここで、ＩＣタグ２は店員Ｓ（動体）が所持しているものとして、このシステムの動作について説明する。まず、認証装置４は店員Ｓが関係者扉６を通過する度にＩＣタグ２からタグ情報を受信し電気錠の解錠、施錠を制御しており、受信したタグ情報は、その都度、外部機器Ｐへと伝送する。
【００１９】
次に、各店舗テナントＡ〜Ｈにおいては、店員Ｓがテナント内にいない場合（店舗テナントＡ，Ｂ，Ｅ，Ｈ）においては、人検知装置５が作動しており警戒中となる。警戒中のテナントにおいて人検知がされた場合は、人体検知装置５から人検知情報が外部機器Ｐに伝送され、例えば、客人が来たとして店員Ｓをテナントに向かわせるか、或いは、時間帯によっては、侵入者と見なして警報を発報することができる。
【００２０】
また、警戒中において、ＩＣタグ２を所持した店員Ｓがテナント内に来た場合は、リーダ装置１は、その店員Ｓのタグ情報を取得し、タグ情報及び自器のリーダ情報を外部機器Ｐへと伝送し、同時に、警戒解除信号を人検知装置５へと伝送する。人体検知装置５は、警戒解除信号を受信すると、警戒を解除し待機状態となる。そして、店員Ｓがテナント内から外出した場合には、人体検知装置５は、応答信号を受けられない状態が一定時間続くことによって、警戒設定信号を人体検知装置５へと伝送する。人体検知装置５は、警戒設定信号を受信すると再び警戒中となる。
【００２１】
以上のようなシステム動作により、店舗テナントＡ〜Ｈを効率よく警戒することが可能となりセキリュティ性を向上させることができる。更に、店員Ｓがテナントに入る度、リーダ情報及びタグ情報が外部機器Ｐへと伝送されるため、外部機器Ｐにおいて店員Ｓの所在情報を特定することができ、全ての店員Ｓの所在を管理することが可能となる。
【００２２】
また、外部機器Ｐにおいて、店員Ｓの所在を常に把握できるため、例えば、図２の破線に示すように店員Ｓが店舗テナントＥに移動した後、店舗テナントＨに移動し、最後に関係者扉６から外出したといったような、店員Ｓの動線Ｌを把握することも可能となる。
【００２３】
図３、４は、本願発明の第二の実施形態である所在管理システムを示している。なお、ここでは、上記第一の実施形態と相違する事項についてのみ説明し、その他の事項（構成、作用効果等）については、上記第一の実施形態と同様であるのでその説明を省略する。
【００２４】
図３に示すように、本実施形態においては、第一実施形態におけるリーダ装置１の機能が送信器３及び受信器７に分割されており、ＩＣタグ２は送信器３及び受信器７と通信するものである。ＩＣタグ２は送信器３から送信器情報を受信すると、受信した送信器情報と共にタグ情報を受信器７へ無線送信する。受信器７は、受信した送信器情報及びタグ情報を外部機器Ｐへと伝送する。なお、送信器情報を送信する送信アンテナ３１及び送信器情報を受信する受信アンテナ２１は、第一の実施形態と同様にループアンテナからなり、ＬＦ周波数帯の電波を発生させることで送信器情報の授受を行う。
【００２５】
図４に示すように、本実施形態の所在管理システムは、各店舗テナントＡ〜Ｈに１台ずつ送信器３Ａ〜３Ｈ及び人検知装置５Ａ〜５Ｈが一体となって配置されている。各送信器３Ａ〜３Ｈ及び検知装置５Ａ〜５Ｈは、配置された店舗テナントＡ〜Ｈの領域のみを監視エリアとして監視している。つまり、送信器３から送信される送信器情報は、各店舗テナントＡ〜Ｈの領域（監視エリア）においてのみ受信できるようになっている。
【００２６】
また、フロア内には受信器７が２台設置されており、受信器７ａは店舗テナントＡ〜Ｄ、受信器７ｂは店舗テナントＥ〜Ｈの監視エリアからの送信器情報及びタグ情報を受信するようになっている。そして、受信器７ａ，７ｂと、外部機器Ｐと、認証装置４とは、LAN等のネットワークとして有線で接続されている。
【００２７】
この所在管理システムの動作として、第一の実施形態と同様に、送信器３がタグ情報の取得の有無に応じて警戒設定信号、或いは警戒解除信号を伝送することで人体検知装置５を制御しており、効率よくテナントの警戒を行うことが可能となる。また、外部機器Ｐが常時、送信器情報及びタグ情報を取得することで全ての店員Ｓの所在が把握でき、当然にして店員Ｓの動線の把握をすることも可能である。
【００２８】
更に、このシステムにおいては、送信器３と受信器７とを別体として備えており、受信器３は複数の監視エリアに存在するＩＣタグ２から信号を受信するため、全ての送信器３と外部機器Ｐとを有線で接続したり、全ての送信器３に対して外部機器Ｐへ無線送信する部位を設けたりする必要がなく、効率良く外部機器Ｐに送信器情報及びタグ情報を送信することができる。
【図面の簡単な説明】
【００２９】
【図１】本願発明の第一の実施形態である所在管理システムを示すブロック図。
【図２】同所在管理システムの説明図。
【図３】本願発明の第二の実施形態である所在管理システムを示すブロック図。
【図４】同所在管理システムの説明図。
【符号の説明】
【００３０】
１  リーダ装置
２  ＩＣタグ
３  送信器
７  受信器
Ｐ  外部機器
【図１】
2008204404.tif 000003
【図２】
2008204404.tif 000004
【図３】
2008204404.tif 000005
【図４】
2008204404.tif 000006